(57)【要約】【課題】ノイズ波形を加えた信号を出力することができる。【解決手段】与えられた入力信号に応じた出力信号を出力するメインドライバと、ノイズ波形を含むノイズ信号を出力するノイズ用ドライバと、出力信号およびノイズ信号を合成した合成信号を出力する合成部と、制御部とを備え、ノイズ用ドライバは、イネーブル信号が印加されていない場合、出力端をハイインピーダンスとし、イネーブル信号が印加されている場合、与えられる制御信号の変化に応じて出力するノイズ信号の電圧レベルを変化させ、制御部は、制御信号の変化タイミングおよびイネーブル信号の切替タイミングを制御して、出力信号が所定の伝送路を伝播した場合において発生するノイズ波形を含むノイズ信号をノイズ用ドライバから出力させる。【選択図】図１
2011013040.tif 000002
【特許請求の範囲】
【請求項１】
与えられた入力信号に応じた出力信号を出力するメインドライバと、
ノイズ波形を含むノイズ信号を出力するノイズ用ドライバと、
前記出力信号および前記ノイズ信号を合成した合成信号を出力する合成部と、
を備える出力装置。
【請求項２】
前記ノイズ用ドライバは、イネーブル信号が印加されていない場合、出力端をハイインピーダンスとし、イネーブル信号が印加されている場合、与えられる制御信号の変化に応じて出力する前記ノイズ信号の電圧レベルを変化させ、
当該出力装置は、前記制御信号の変化タイミングおよび前記イネーブル信号の切替タイミングを制御して、前記出力信号が所定の伝送路を伝播した場合において発生するノイズ波形を含むノイズ信号を前記ノイズ用ドライバから出力させる制御部を更に備える
請求項１に記載の出力装置。
【請求項３】
前記制御部は、前記出力信号が所定の伝送路を伝播した場合において発生するリンギングノイズに応じたノイズ波形を含む前記ノイズ信号を前記ノイズ用ドライバから出力させる
請求項２に記載の出力装置。
【請求項４】
前記制御部は、前記出力信号が所定の伝送路を伝播した場合において発生する不整合反射に応じたノイズ波形を含む前記ノイズ信号を前記ノイズ用ドライバから出力させる
請求項２から３の何れかに記載の出力装置。
【請求項５】
前記ノイズ波形毎に、当該ノイズ波形を発生させるための前記制御信号の変化タイミングおよび前記イネーブル信号の切替タイミングを記憶するテーブル格納部と、
前記制御部は、外部から特定されたノイズ波形に応じて前記テーブル格納部から前記変化タイミングおよび前記切替タイミングを選択し、選択した前記変化タイミングおよび前記切替タイミングに応じて前記制御信号および前記イネーブル信号を生成する
請求項２から４の何れかに記載の出力装置。
【請求項６】
前記制御部は、前記出力信号が所定の伝送路を伝播した場合において発生するノイズ波形を表す波形データを受け取り、受け取った前記波形データに応じて前記ノイズ波形を特定する
請求項５に記載の出力装置。
【請求項７】
前記制御部は、前記出力信号が所定の伝送路を伝播した場合において発生するノイズのレベルに応じて、前記ノイズ用ドライバから出力される前記ノイズ信号の電圧レベルを変化させる
請求項２から６の何れかに記載の出力装置。
【請求項８】
被試験デバイスを試験する試験装置であって、
試験信号を前記被試験デバイスに供給する請求項１から７の何れかに記載の出力装置を備える
試験装置。
【発明の詳細な説明】
【技術分野】
【０００１】
本発明は、信号を出力する出力装置および被試験デバイスを試験する試験装置に関する。
【背景技術】
【０００２】
試験装置は、装置本体と被試験デバイスとの間を、Ｌ成分およびＣ成分の少ない理想的に近い伝送路により接続する。これにより、試験装置は、伝送路において信号に加わるノイズを小さくすることができる。また、ノイズを印加した試験信号を被試験デバイスに与える試験装置も知られている（特許文献１、２）。
【先行技術文献】
【特許文献】
【０００３】
【特許文献１】特開２００４−１２２２５号公報
【特許文献２】特開２００４−３０９１５４号公報
【発明の概要】
【発明が解決しようとする課題】
【０００４】
ところで、デバイスの実際の使用環境では、プリント基板等に形成された伝送路に信号を伝播させるので、伝送路において信号に加わるノイズが試験環境より大きい。従って、試験装置により良品と判断されたデバイスであっても、実際の使用環境において使用すると不良と判断される場合があった。
【課題を解決するための手段】
【０００５】
上記課題を解決するために、本発明の第１の態様においては、与えられた入力信号に応じた出力信号を出力するメインドライバと、ノイズ波形を含むノイズ信号を出力するノイズ用ドライバと、前記出力信号および前記ノイズ信号を合成した合成信号を出力する合成部と、を備える出力装置、および、試験装置を提供する。さらに、前記ノイズ用ドライバは、イネーブル信号が印加されていない場合、出力端をハイインピーダンスとし、イネーブル信号が印加されている場合、与えられる制御信号の変化に応じて出力する前記ノイズ信号の電圧レベルを変化させ、当該出力装置は、前記制御信号の変化タイミングおよび前記イネーブル信号の切替タイミングを制御して、前記出力信号が所定の伝送路を伝播した場合において発生するノイズ波形を含むノイズ信号を前記ノイズ用ドライバから出力させる制御部を更に備えてもよい。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る出力装置１０の構成を示す。
【図２】本実施形態に係る出力装置１０において生成される各信号の一例を示す。
【図３】本実施形態において、Ｌ論理からＨ論理へ変化する制御信号をノイズ用ドライバ２４に与え、且つ、イネーブル信号を印加状態から非印加状態に切り替える場合における、制御信号の変化タイミングとイネーブル信号の切替タイミングとの時間差毎のノイズ波形の一例を示す。
【図４】本実施形態において、Ｈ論理からＬ論理へ変化する制御信号をノイズ用ドライバ２４に与え、且つ、イネーブル信号を非印加状態から印加状態に切り替える場合における、制御信号の変化タイミングとイネーブル信号の切替タイミングとの時間差毎のノイズ波形の一例を示す。
【図５】被試験デバイスの実使用環境の伝送路を通過した矩形波形の出力信号の一例を示す。
【図６】リンギングノイズに応じたノイズ波形および不整合反射に応じたノイズ波形を含むノイズ信号と、出力信号とを合成した合成信号の一例を示す。
【図７】本実施形態の変形例に係る出力装置１０の構成を示す。
【図８】変形例に係る出力装置１０において生成される各信号の一例を示す。
【図９】本実施形態に係る試験装置１００の構成をＤＵＴ２００とともに示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る出力装置１０の構成を示す。本実施形態に係る出力装置１０は、与えられた入力信号に応じた出力信号とノイズ波形を含むノイズ信号とを合成した合成信号を出力する。
【００１０】
出力装置１０は、一例として、試験装置内の信号出力部として用いられる。この場合、出力装置１０は、与えられた試験パターンに応じた出力信号と、ノイズ波形を含むノイズ信号とを合成した合成信号を、試験信号として出力する。また、この場合、ノイズ波形は、被試験デバイスが実際に使用される環境の伝送路に、試験パターンに応じた出力信号を通過させた場合に発生するノイズに応じた波形であってよい。なお、出力装置１０を、試験装置に適用した構成の一例については、後述の図９において説明する。
【００１１】
出力装置１０は、メインドライバ２２と、ノイズ用ドライバ２４と、第１の出力抵抗２６−１と、第２の出力抵抗２６−２と、第１の信号線２８−１と、第２の信号線２８−２と、合成部３０と、制御部３２とを備える。
【００１２】
メインドライバ２２は、論理値を表す入力信号が与えられ、与えられた入力信号に応じた出力信号を出力する。メインドライバ２２は、一例として、Ｌ論理を表す入力信号が与えられた場合には、Ｌ論理に対応する電圧レベルの出力信号を出力する。また、メインドライバ２２は、一例として、Ｈ論理を表す制御信号が与えられた場合には、Ｈ論理に対応する電圧レベルの出力信号を出力する。
【００１３】
ノイズ用ドライバ２４は、制御部３２による制御に応じて、ノイズ波形を含むノイズ信号を出力する。具体的には、ノイズ用ドライバ２４は、制御部３２から与えられた制御信号およびイネーブル信号に応じたノイズ波形を含むノイズ信号を出力する。
【００１４】
ノイズ用ドライバ２４は、イネーブル信号が印加されていない場合、出力端をハイインピーダンスとする。また、ノイズ用ドライバ２４は、イネーブル信号が印加されている場合、与えられる制御信号の変化に応じて、出力するノイズ信号の電圧レベルを変化させる。
【００１５】
即ち、ノイズ用ドライバ２４は、イネーブル信号が印加され且つＬ論理からＨ論理へ変化する制御信号が与えられた場合には、出力信号の電圧レベルを、Ｌ論理に対応する電圧レベルからＨ論理に対応する電圧レベルに変化させる。また、ノイズ用ドライバ２４は、イネーブル信号が印加され且つＨ論理からＬ論理へ変化する制御信号が与えられた場合には、出力信号の電圧レベルを、Ｈ論理に対応する電圧レベルからＬ論理に対応する電圧レベルに変化させる。
【００１６】
第１の出力抵抗２６−１は、一端が、メインドライバ２２の出力端に接続される。第１の信号線２８−１は、一端が、第１の出力抵抗２６−１におけるメインドライバ２２が接続されていない他端に接続される。第１の信号線２８−１は、第１の出力抵抗２６−１が接続されていない他端が、合成部３０に接続される。このように直列に接続された第１の出力抵抗２６−１および第１の信号線２８−１は、メインドライバ２２から出力された出力信号を合成部３０へと伝播することができる。
【００１７】
第２の出力抵抗２６−２は、一端が、ノイズ用ドライバ２４の出力端に接続される。第２の信号線２８−２は、一端が、第２の出力抵抗２６−２におけるノイズ用ドライバ２４が接続されていない他端に接続される。第２の信号線２８−２は、第２の出力抵抗２６−２が接続されていない他端が、合成部３０に接続される。このように直列に接続された第２の出力抵抗２６−２および第２の信号線２８−２は、ノイズ用ドライバ２４から出力されたノイズ信号を合成部３０へと伝播することができる。
【００１８】
合成部３０は、メインドライバ２２から出力された出力信号およびノイズ用ドライバ２４から出力されたノイズ信号を受け取り、出力信号とノイズ信号とを合成した合成信号を生成する。合成部３０は、一例として、出力信号とノイズ信号とを加算した合成信号を出力する。そして、合成部３０は、出力信号およびノイズ信号を合成した合成信号を出力端子１２から出力する。
【００１９】
合成部３０は、一例として、メインドライバ２２からの出力信号を伝播する信号線と、ノイズ用ドライバ２４からのノイズ信号を伝播する信号線とを結線して１本の信号線に合成する構成であってよい。また、合成部３０は、一例として、メインドライバ２２からの出力信号を伝播する信号線と、ノイズ用ドライバ２４からのノイズ信号を伝播する信号線とを、それぞれ抵抗を介して接続する構成であってもよい。この場合、合成部３０は、一例として、出力端子１２側から見たときの抵抗値が終端抵抗値（例えば、５０Ω、７５Ω等）となるように各抵抗値が設定される。
【００２０】
また、合成部３０は、出力信号およびノイズ信号を、メインドライバ２２およびノイズ用ドライバ２４から出力抵抗２６および信号線２８を介さずに直接受け取る構成であってもよい。この場合、出力装置１０は、合成部３０の出力端と、当該出力装置１０の出力端子１２との間に、直列接続された出力抵抗２６および信号線２８を備える。
【００２１】
制御部３２は、メインドライバ２２に与えられる入力信号の論理値の変化タイミングに応じて、ノイズ用ドライバ２４に与える制御信号の論理値の変化タイミング、および、イネーブル信号の印加／非印加の切替タイミングを制御する。そして、制御部３２はノイズ波形を含むノイズ信号をノイズ用ドライバ２４から出力させる。
【００２２】
制御部３２は、一例として、被試験デバイスが実際に使用される環境の伝送路に、メインドライバ２２から出力される出力信号を通過させた場合に発生するノイズに応じたノイズ波形を含むノイズ信号を、制御部３２から出力させる。制御部３２は、一例として、このようなノイズを測定またはシミュレーションした結果に応じたノイズ波形を発生させるように、制御信号の変化タイミングおよびイネーブル信号の切替タイミングを制御する。
【００２３】
図２は、本実施形態に係る出力装置１０において生成される各信号の一例を示す。メインドライバ２２は、図２（Ａ）に示されるような、指定されたタイミングで論理値が変化する入力信号を受け取る。
【００２４】
メインドライバ２２は、例えば図２（Ｂ）に示されるように、Ｌ論理からＨ論理へ変化する波形の入力信号が与えられた場合には、出力信号を、Ｌ論理に対応する電圧レベルからＨ論理に対応する電圧レベルに変化させる。また、メインドライバ２２は、例えば図２（Ｂ）に示されるように、Ｈ論理からＬ論理へ変化する波形の入力信号が与えられた場合には、出力信号を、Ｈ論理に対応する電圧レベルからＬ論理に対応する電圧レベルに変化させる。
【００２５】
制御部３２は、例えば図２（Ｃ）に示されるように、入力信号の変化タイミングに対して予め設定された時間分遅延または進んだタイミングにおいて、予め設定された方向に論理が変化する制御信号を出力する。制御部３２は、例えば図２（Ｄ）に示されるように、入力信号の変化タイミングに対して予め設定された時間分遅延または進んだタイミングにおいて、イネーブル信号を予め設定された状態に切替させる。
【００２６】
ノイズ用ドライバ２４は、例えば図２（Ｅ）に示されるような、制御信号の変化タイミングおよび変化方向、並びに、イネーブル信号の切替タイミングおよび切替方向に応じたノイズ波形を含むノイズ信号を出力する。ノイズ用ドライバ２４は、一例として、制御信号の変化タイミングおよび変化方向、並びに、イネーブル信号の切替タイミングおよび切替方向の関係に応じてピークレベルが変化する三角波状のノイズ波形を発生する。
【００２７】
合成部３０は、図２（Ｆ）に示されるように、例えば図２（Ｂ）の出力信号と、例えば図２（Ｅ）のノイズ信号とを加算した合成信号を出力する。なお、図２（Ｅ）に示されるノイズ信号の縦方向（レベル方向）のレンジは拡大して記載している。
【００２８】
図３は、Ｌ論理からＨ論理へ変化する制御信号をノイズ用ドライバ２４に与え、且つ、イネーブル信号を印加状態（イネーブル状態）から非印加状態（ハイインピーダンス状態）に切り替える場合における、制御信号の変化タイミングとイネーブル信号の切替タイミングとの時間差毎のノイズ波形の一例を示す。例えば、制御部３２は、図３（Ａ）に示されるように、Ｌ論理からＨ論理へ変化する制御信号をノイズ用ドライバ２４に与える。
【００２９】
この場合において、図３（Ｂ）に示されるように、制御部３２は、制御信号の変化開始タイミング（ｔ１１）から微小時間経過した後のタイミング（ｔ１２）において（時刻ｔ１２は少なくともノイズ信号がＨ論理レベルに達するより前）、イネーブル信号を印加状態から非印加状態に切り替える。これにより、ノイズ用ドライバ２４は、図３（Ｃ）に示されるように、時刻ｔ１１から時刻ｔ１２までレベルが増加し、時刻ｔ１２からＬ論理レベルに達するまでレベルが減少する三角波のノイズ波形を含むノイズ信号を出力することができる。
【００３０】
また、図３（Ｄ）に示されるように、制御部３２は、制御信号の変化開始タイミング（ｔ１１）から時刻ｔ１２より後のタイミング（ｔ１３）において（時刻ｔ１３は少なくともノイズ信号がＨ論理レベルに達するより前）、イネーブル信号を印加状態から非印加状態に切り替える。これにより、ノイズ用ドライバ２４は、図３（Ｅ）に示されるように、時刻ｔ１１から時刻ｔ１３までレベルが増加し、時刻ｔ１３からＬ論理レベルに達するまでレベルが減少する三角波のノイズ波形を含むノイズ信号を出力することができる。この場合、ノイズ用ドライバ２４は、ピークレベルが図３（Ｃ）の場合より大きい三角波を発生する。
【００３１】
また、図３（Ｆ）に示されるように、制御部３２は、ノイズ信号がＨ論理レベルに達するタイミング（ｔ１４）において、イネーブル信号を印加状態から非印加状態に切り替える。これにより、ノイズ用ドライバ２４は、図３（Ｇ）に示されるように、時刻ｔ１１からＨ論理レベルに達するまでレベルが増加し、時刻ｔ１４からＬ論理レベルまでレベルが減少する三角波のノイズ波形を含むノイズ信号を出力することができる。
【００３２】
図４は、Ｈ論理からＬ論理へ変化する制御信号をノイズ用ドライバ２４に与え、且つ、イネーブル信号を非印加状態（ハイインピーダンス状態）から印加状態（イネーブル状態）に切り替える場合における、制御信号の変化タイミングとイネーブル信号の切替タイミングとの時間差毎のノイズ波形の一例を示す。例えば、制御部３２は、図４（Ａ）に示されるように、Ｈ論理からＬ論理へ変化する制御信号をノイズ用ドライバ２４に与える。
【００３３】
この場合において、図４（Ｂ）に示されるように、制御部３２は、制御信号の変化終了タイミング（ｔ３０）から微小時間前のタイミング（ｔ２９）において、イネーブル信号を非印加状態から印加状態に切り替える。これにより、ノイズ用ドライバ２４は、図４（Ｃ）に示されるように、時刻ｔ２９から、時刻ｔ２９と時刻ｔ３０との中間時刻までレベルが増加し、当該中間時刻からＬ論理レベルに達するまでレベルが減少する三角波のノイズ波形を含むノイズ信号を出力することができる。
【００３４】
また、図４（Ｄ）に示されるように、制御部３２は、制御信号の変化終了タイミング（ｔ３０）から時刻ｔ２９より前のタイミング（ｔ２８）において、イネーブル信号を非印加状態から印加状態に切り替える。これにより、ノイズ用ドライバ２４は、図４（Ｅ）に示されるように、時刻ｔ２８から、時刻ｔ２８と時刻ｔ３０との中間時刻までレベルが増加し、当該中間時刻からＬ論理レベルに達するまでレベルが減少する三角波のノイズ波形を含むノイズ信号を出力することができる。この場合、ノイズ用ドライバ２４は、ピークレベルが図４（Ｃ）の場合より大きい三角波を発生させることができる。
【００３５】
また、図４（Ｆ）に示されるように、制御部３２は、制御信号の変化終了タイミング（ｔ３０）から、制御信号のＨ論理レベルからＬ論理レベルへの変化期間の２倍の時間前のタイミング（ｔ２７）において（少なくとも時刻ｔ２８よりも前のタイミング）、イネーブル信号を非印加状態から印加状態に切り替える。これにより、ノイズ用ドライバ２４は、図４（Ｇ）に示されるように、時刻ｔ２７からＨ論理レベルに達するまでレベルが増加し、Ｈ論理レベルに達した後にＬ論理レベルまでレベルが減少する三角波のノイズ波形を含むノイズ信号を出力することができる。
【００３６】
以上のように制御部３２は、制御信号の変化タイミングおよび変化方向、並びに、イネーブル信号の切替タイミングおよび切替方向を制御して、ノイズ用ドライバ２４から発生されるノイズ波形を制御することができる。制御部３２は、一例として、制御信号の変化タイミングおよび変化方向、並びに、イネーブル信号の切替タイミングおよび切替方向を制御して、三角波状のノイズ波形のピークレベルを制御することができる。
【００３７】
図５は、被試験デバイスの実使用環境の伝送路を通過した矩形波形の出力信号の一例を示す。図６は、リンギングノイズに応じたノイズ波形および不整合反射に応じたノイズ波形を含むノイズ信号と、出力信号とを合成した合成信号の一例を示す。
【００３８】
図５に示されるように、伝送路において発生するノイズとして、例えば、リンギングノイズがある。リンギングノイズは、伝送路中のＬ成分およびＣ成分により発生される。制御部３２は、一例として、メインドライバ２２から出力される出力信号が所定の伝送路を伝播した場合に発生するリンギングノイズに応じたノイズ波形を含むノイズ信号を、ノイズ用ドライバ２４から出力させる。
【００３９】
制御部３２は、一例として、入力信号の変化タイミングから予め設定された時間分遅延したタイミングにおいて、予め設定されたピークレベルの三角波のノイズ波形を発生させる。これにより、制御部３２は、リンギングノイズに応じたノイズ波形を出力信号に合成することができる。なお、制御部３２は、一例として、実際に使用される環境の伝送路をメインドライバ２２から出力された出力信号が伝播した場合に発生するリンギングノイズを実測またはシミュレーションした結果に基づき、入力信号の変化タイミングに対する、ノイズの発生タイミングおよびピークレベルを設定してもよい。
【００４０】
また、図５に示されるように、伝送路において発生するノイズとして、例えば、不整合反射がある。不整合反射は、伝送路中のコネクタ等を信号が伝播することにより発生される。制御部３２は、一例として、出力信号が所定の伝送路を伝播した場合に発生する不整合反射に応じたノイズ波形を含むノイズ信号を、ノイズ用ドライバ２４から出力させてもよい。
【００４１】
制御部３２は、一例として、入力信号のパルスの発生タイミングから予め設定された時間分遅延したタイミングにおいて、予め設定されたピークレベルの三角波のノイズ波形を発生させる。これにより、制御部３２は、不整合反射に応じたノイズ波形を出力信号に合成することができる。なお、制御部３２は、一例として、実際に使用される環境の伝送路をメインドライバ２２から出力された出力信号が伝播した場合に発生する不整合反射を実測またはシミュレーションした結果に基づき、入力信号のパルスの発生タイミングに対するノイズの発生タイミングおよびピークレベルを設定してもよい。
【００４２】
また、伝送路において発生するノイズとして、例えば、クロストークがある。クロストークは、隣接する伝送路から信号が漏洩することにより発生される。制御部３２は、一例として、出力信号が所定の伝送路を伝播した場合に発生するクロストークに応じたノイズ波形を含むノイズ信号をノイズ用ドライバ２４から出力させてよい。
【００４３】
制御部３２は、一例として、隣接する伝送路に伝送するべき入力信号のパルス発生タイミングから所定時間遅延したタイミングで、予め設定されたピークレベルの三角波を発生させる。これにより、制御部３２は、クロストークに応じたノイズ波形を出力信号に合成することができる。
【００４４】
以上のように、本実施形態に係る出力装置１０によれば、入力信号に応じた出力信号に対して、ノイズ波形を合成することができる。さらに、本実施形態に係る出力装置１０によれば、イネーブル信号によりノイズ用ドライバ２４を制御して指定されたノイズ波形を生成するので、メインドライバ２２に与えられる入力信号の論理パターンにより実現される最小時間幅の波形よりも、短い時間幅のノイズ波形を生成することができる。
【００４５】
図７は、本実施形態の変形例に係る出力装置１０の構成を示す。本変形例に係る出力装置１０は、図１から図６を参照して説明した本実施形態に係る出力装置１０と略同一の構成および機能を採るので、本実施形態に係る出力装置１０が備える部材と略同一の構成および機能の部材に同一の符号を付け、以下相違点を除き説明を省略する。
【００４６】
変形例に係る出力装置１０は、キャリブレーション部４２と、テーブル格納部４４と、電源部４６とを更に備える。キャリブレーション部４２は、制御信号の変化タイミングおよびイネーブル信号の切替タイミングの組合せ毎に、ノイズ用ドライバ２４により発生されるノイズ波形（例えば三角波状のノイズ波形のピークレベルおよび遅延時間）を測定する。
【００４７】
テーブル格納部４４は、ノイズ波形（例えば三角波状のノイズ波形のピークレベルおよび遅延時間）毎に、当該波形を発生させるための制御信号の変化タイミングおよびイネーブル信号の切替タイミングを記憶する。テーブル格納部４４は、一例として、キャリブレーション部４２により測定された測定結果を記憶してよい。
【００４８】
電源部４６は、ノイズ用ドライバ２４に電源電圧を与える。制御部３２は、電源部４６から発生する電源電圧を制御して、ノイズ用ドライバ２４から出力するノイズ信号の電圧レベルを変化させる。
【００４９】
制御部３２は、出力信号が所定の伝送路（例えば、被試験デバイスの実使用環境の伝送路）を伝播した場合において発生するノイズ波形を表す波形データを受け取る。制御部３２は、一例として、所定の伝送路において発生するノイズ波形を実測またはシミュレーションした波形データを受け取る。
【００５０】
制御部３２は、外部から受け取った波形データに応じてノイズ波形を特定する。制御部３２は、一例として、外部から受け取った波形データに応じて、三角波状のノイズ波形のピークレベル、および、出力信号の変化点からピークまでの遅延量を特定する。
【００５１】
制御部３２は、特定したノイズ波形を発生させるための制御信号の変化タイミングおよびイネーブル信号の切替タイミングをテーブル格納部４４から選択する。そして、制御部３２は、メインドライバ２２に与える入力信号の論理値の変化タイミングおよび変化方向および選択した変化タイミングおよび切替タイミングに基づいて、制御信号およびイネーブル信号を生成する。このようにして、制御部３２は、所定の伝送路において発生するノイズ波形を、ノイズ用ドライバ２４から出力させることができる。
【００５２】
また、制御部３２は、メインドライバ２２から出力される出力信号が所定の伝送路を伝播した場合において発生するノイズ波形のレベルに応じて、ノイズ用ドライバ２４から出力されるノイズ信号の電圧レベルを変化させてもよい。このようにしても、制御部３２は、所定の伝送路において発生するノイズ波形をノイズ用ドライバ２４から出力させることができる。
【００５３】
また、出力装置１０は、複数のノイズ用ドライバ２４を備える構成であってもよい。これにより、出力装置１０は、複数のノイズ用ドライバ２４から発生された複数のノイズ波形を合成することができるので、より複雑なノイズ波形を発生することができる。
【００５４】
また、出力装置１０は、それぞれが異なるノイズ波形を発生する複数のノイズ用ドライバ２４を備える構成であってもよい。制御部３２は、一例として、正側にピークを有する三角波を発生するノイズ用ドライバ２４と、負側にピークを有する三角波を発生するノイズ用ドライバ２４とを備えてもよい。これにより、出力装置１０は、例えば、入力信号の変化方向に応じて異なる極性のノイズ波形を、出力信号に合成することができる。
【００５５】
また、制御部３２は、出力端にコンデンサ等が接続される構成であってもよい。これにより、制御部３２は、ノイズ用ドライバ２４により発生される波形を更に微分または積分等した波形をノイズ波形として発生することができる。
【００５６】
図８は、変形例に係る出力装置１０において生成される各信号の一例を示す。出力装置１０は、一例として、第１のノイズ用ドライバ２４および第２のノイズ用ドライバ２４を備えてもよい。
【００５７】
第１のノイズ用ドライバ２４は、図８の（Ａ）から（Ｃ）に示されるように、イネーブル信号が非印加状態およびＬ論理の制御信号が与えられた場合において、負の電圧（例えば、−０．５Ｖ）のノイズ信号を出力する。また、第１のノイズ用ドライバ２４は、Ｈ論理の制御信号が与えられた場合において、０以上の電圧（例えば、２Ｖ）のノイズ信号を出力する。
【００５８】
そして、制御部３２は、制御信号がＨ論理の期間において、第１のノイズ用ドライバ２４に与えるイネーブル信号を印加状態とする。これにより、第１のノイズ用ドライバ２４は、負の電圧（例えば、−０．５Ｖ）および０以上の電圧（例えば２Ｖ）を交互に切り替える矩形波のノイズ信号を出力することができる。
【００５９】
第２のノイズ用ドライバ２４は、図８の（Ｄ）から（Ｆ）に示されるように、イネーブル信号が非印加状態およびＬ論理の制御信号が与えられた場合において、負の電圧（例えば、−０．５Ｖ）のノイズ信号を出力する。また、第２のノイズ用ドライバ２４は、Ｈ論理の制御信号が与えられた場合において、０以上の電圧（例えば、０Ｖ）のノイズ信号を出力する。
【００６０】
そして、制御部３２は、制御信号がＨ論理の期間において、第２のノイズ用ドライバ２４に与えるイネーブル信号を印加状態とする。これにより、第２のノイズ用ドライバ２４は、負の電圧（例えば、−０．５Ｖ）および正の電圧（例えば０Ｖ）を交互に切り替える矩形波のノイズ信号を出力することができる。
【００６１】
ここで、制御部３２は、第１のノイズ用ドライバ２４および第２のノイズ用ドライバ２４に対して、互いに位相が１８０°位相がずれた（即ち、反転した）制御信号を与える。これにより、本変形例に係る出力装置１０は、図８の（Ｇ）に示されるように、制御信号の切り替えタイミングにおいて、負側にピークを有するノイズ波形を有する合成したノイズ信号を生成することができる。
【００６２】
図９は、本実施形態に係る試験装置１００の構成をＤＵＴ２００とともに示す。試験装置１００は、図１から図８を参照して説明した出力装置１０が備える部材を備える。出力装置１０内に備えられる部材と略同一の構成および機能を有する部材については、図９中において同一の符号を付けて、相違点を除き説明を省略する。
【００６３】
試験装置１００は、被試験デバイスであるＤＵＴ２００を試験する。試験装置１００は、本体部１０２と、パフォーマンスボード１０４とを備える。本体部１０２は、ＤＵＴ２００に対して信号を供給して、ＤＵＴ２００から信号を取得する。
【００６４】
パフォーマンスボード１０４は、ＤＵＴ２００を搭載する。パフォーマンスボード１０４は、本体部１０２と信号線２８を介して接続される。
【００６５】
本体部１０２は、パターン発生器１１０と、タイミング発生器１１２と、第１の波形発生部１１４−１と、第２の波形発生部１１４−２と、メインドライバ２２と、ノイズ用ドライバ２４と、第１の出力抵抗２６−１と、第２の出力抵抗２６−２と、レベルコンパレータ１１８と、コンパレータ部１２０と、判定部１２２とを有する。
【００６６】
パターン発生器１１０は、当該本体部１０２から発生する信号の波形および発生タイミングを指定する論理パターンを発生する。さらに、パターン発生器１１０は、当該本体部１０２が入力する信号の期待値および信号を取得する取得タイミングを指定する期待パターンを発生する。パターン発生器１１０は、論理パターンを第１の波形発生部１１４−１および第２の波形発生部１１４−２へ供給する。また、パターン発生器１１０は、期待パターンの期待値を判定部１２２へ供給し、期待値パターンの取得タイミングをコンパレータ部１２０へ供給する。
【００６７】
タイミング発生器１１２は、当該本体部１０２が信号を出力するタイミングを指定するためのタイミング信号を発生する。また、タイミング発生器１１２は、当該本体部１０２が信号の値を入力するタイミングを指定するためのストローブ信号を発生する。タイミング発生器１１２は、タイミング信号を第１の波形発生部１１４−１および第２の波形発生部１１４−２へと供給し、ストローブ信号をコンパレータ部１２０へと供給する。
【００６８】
第１の波形発生部１１４−１および第２の波形発生部１１４−２は、与えられたタイミング信号をパターン発生器１１０により指定された発生タイミングに応じた遅延量分遅延する。第１の波形発生部１１４−１は、遅延したタイミング信号のタイミングにおいてパターン発生器１１０により指定された波形の入力信号を発生する。第１の波形発生部１１４−１は、発生した入力信号をメインドライバ２２へ供給する。
【００６９】
第２の波形発生部１１４−２は、遅延したタイミング信号のタイミングにおいてパターン発生器１１０により指定された波形の制御信号およびイネーブル信号を発生する。第２の波形発生部１１４−２は、発生した制御信号およびイネーブル信号をノイズ用ドライバ２４へ供給する。
【００７０】
メインドライバ２２は、第１の波形発生部１１４−１から与えられた入力信号に応じた電圧レベルの出力信号を、第１の出力抵抗２６−１および第１の信号線２８−１を介してパフォーマンスボード１０４へと供給する。ノイズ用ドライバ２４は、第２の波形発生部１１４−２から与えられた制御信号およびイネーブル信号に応じて成形されたノイズ波形を有するノイズ信号を、第２の出力抵抗２６−２および第２の信号線２８−２を介してパフォーマンスボード１０４へと供給する。
【００７１】
レベルコンパレータ１１８は、ＤＵＴ２００の対応する端子から第３の信号線２８−３を介して信号を入力して、入力した信号の電圧レベルに応じた論理値を表す論理信号を生成する。そして、レベルコンパレータ１１８は、生成した論理信号をコンパレータ部１２０へ与える。
【００７２】
コンパレータ部１２０は、タイミング発生器１１２から供給されるストローブ信号を、パターン発生器１１０により指定された取得タイミングに応じた遅延量分遅延する。そして、コンパレータ部１２０は、遅延したストローブ信号のタイミングにおいて、レベルコンパレータ１１８から出力された論理信号の論理値を取得する。コンパレータ部１２０は、取得した論理値を判定部１２２へと供給する。
【００７３】
判定部１２２は、コンパレータ部１２０により取得された論理値を、パターン発生器１１０により指定された期待値と一致するか否かを比較する。コンパレータ部１２０は、比較結果を外部の制御装置へと供給する。また、判定部１２２は、比較結果をメモリ等に書き込んでもよい。
【００７４】
また、本実施形態において、パフォーマンスボード１０４は、合成部３０を有する。合成部３０は、メインドライバ２２から出力された出力信号およびノイズ用ドライバ２４から出力されたノイズ信号を加算した合成信号を生成する。そして、合成部３０は、合成信号を試験信号としてＤＵＴ２００の所定の端子に供給する。
【００７５】
このような試験装置１００において、メインドライバ２２、ノイズ用ドライバ２４、第１の出力抵抗２６−１、第２の出力抵抗２６−２、第１の信号線２８−１、第２の信号線２８−２および合成部３０は、出力装置１０が備える構成要素として機能する。また、第２の波形発生部１１４−２は、出力装置１０が備える制御部３２として機能する。このような試験装置１００は、指定されたノイズ波形が合成された試験信号をＤＵＴ２００へと供給することができる。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７８】
１０  出力装置、１２  出力端子、２２  メインドライバ、２４  ノイズ用ドライバ、２６  出力抵抗、２８  信号線、３０  合成部、３２  制御部、４２  キャリブレーション部、４４  テーブル格納部、４６  電源部、１００  試験装置、１０２  本体部、１０４  パフォーマンスボード、１１０  パターン発生器、１１２  タイミング発生器、１１４  波形発生部、１１８  レベルコンパレータ、１２０  コンパレータ部、１２２  判定部、２００  ＤＵＴ
【図１】
2011013040.tif 000003
【図２】
2011013040.tif 000004
【図３】
2011013040.tif 000005
【図４】
2011013040.tif 000006
【図５】
2011013040.tif 000007
【図６】
2011013040.tif 000008
【図７】
2011013040.tif 000009
【図８】
2011013040.tif 000010
【図９】
2011013040.tif 000011